(57)【要約】【課題】ビューファインダーを装置本体内に収納した際、アイカップが突出することがないビューファインダーを提供する。【解決手段】装置本体２の背面より後方に向かうにつれて漸次縮径されるように隆起される外周部３１と、外周部３１に囲まれた凹状面部３２と、凹状面部３２に形成され撮像範囲が写るファインダ部３３とを有するアイカップ２１と、装置本体２側に設けられアイカップ２１と接続されるスリーブ２２と、装置本体２内に設けられスリーブ２２を装置本体２に押し込み、また装置本体２外へ引き出し可能に支持する支持筒体２３とを有し、アイカップ２１は、スリーブ２２が装置本体２内に押し込まれ装置本体２の背面側に移動されるとき、外周部３１が装置本体２の背面より漸次隆起されていく。【選択図】図２
2005049716.tif 000002
【特許請求の範囲】
【請求項１】
撮像装置本体の背面より後方に向かうにつれて漸次縮径されるように隆起される外周部と、該外周部に囲まれた凹状面部と、該凹状面部に形成され上記撮像装置の撮像範囲が写るファインダ部とを有するアイカップと、
上記アイカップの上記撮像装置本体側に設けられ上記アイカップと接続されるスリーブと、上記撮像装置本体内に設けられ上記スリーブを上記撮像装置本体の背面より上記撮像装置本体に押し込み、また上記撮像装置本体外へ引き出し可能に支持する支持筒体とを有し、
上記アイカップは、上記スリーブが上記撮像装置本体内に押し込まれることにより上記撮像装置本体の背面側に移動されたとき、上記外周部が上記撮像装置本体の背面より漸次隆起されていくことを特徴とする撮像装置のビューファインダー。
【請求項２】
上記アイカップは、上記外周部が上記撮像装置本体の背面の外形状と同一の外形状に形成されていることを特徴とする請求項１記載の撮像装置のビューファインダー。
【請求項３】
上記アイカップは、上記外周部が弾性部材によって形成されていることを特徴とする請求項１記載の撮像装置のビューファインダー。
【請求項４】
上記アイカップは、上記ファインダ部が上記撮像装置の光軸上に形成されていることを特徴とする請求項１記載の撮像装置のビューファインダー。
【請求項５】
前面に撮像レンズが設けられたレンズ鏡筒と、上記撮像レンズに写る被写体を記録する記録媒体が収納された収納部とを有する装置本体と、
上記レンズ鏡筒の背面側に設けられ、該背面より後方に向かうにつれて漸次縮径されるように隆起される外周部と、該外周部に囲まれた凹状面部と、該凹状面部に形成され上記撮像レンズの撮像範囲が写るファインダ部とを有するアイカップと、上記アイカップの上記レンズ鏡筒側に設けられ上記アイカップと接続されるスリーブと、上記レンズ鏡筒内に設けられ上記スリーブを上記レンズ鏡筒の背面より上記レンズ鏡筒に押し込み、また上記レンズ鏡筒外へ引き出し可能に支持する支持筒体とを有するビューファインダーとを備え、
上記アイカップは、上記スリーブが上記レンズ鏡筒内に引き込まれることにより上記レンズ鏡筒の背面側に移動されたとき、上記外周部が上記レンズ鏡筒の背面より漸次隆起されていくことを特徴とする撮像装置。
【請求項６】
上記アイカップは、上記外周部が上記レンズ鏡筒の背面の外形状と同一の外形状に形成されていることを特徴とする請求項５記載の撮像装置。
【請求項７】
上記アイカップは、上記外周部が弾性部材によって形成されていることを特徴とする請求項５記載の撮像装置。
【請求項８】
上記アイカップは、上記ファインダ部が上記撮像装置の光軸上に形成されていることを特徴とする請求項５記載の撮像装置。
【発明の詳細な説明】
【技術分野】
【０００１】
本発明は、撮像装置のビューファインダー及びこれを用いた撮像装置に関する。
【背景技術】
【０００２】
一般に、撮像装置には被写体を覗くためのビューファインダーが設けられている。このビューファインダーは、一般に、液晶表示素子やバックライトが組み込まれた光学ブロックと、この光学ブロックを支持するとともに一端側が撮像装置本体に取り付けられる支持筐体と、支持筐体の他端側に配設され操作者が直接目を当てるアイカップを有する。
【０００３】
このビューファインダーは、撮影状況に応じて覗きやすくするために支持筐体が装置本体より引き出されることによりアイカップが撮像装置本体より後方にスライドされたり、或いは支持筐体が撮像装置本体より上方に回動されることによりアイカップが撮像装置本体より上方に傾斜される。そして、撮影が終了すると、ビューファインダーは、支持筐体が撮像装置本体内に引き込まれることによりアイカップが撮像装置本体側にスライドされ、或いは支持筐体が撮像装置本体側に回動されることによりアイカップが撮像装置本体側に戻される。
【０００４】
このようなビューファインダーに用いられるアイカップには、アイカップを支持する支持筐体の外筐と略同一寸法の外周部を有するものや、支持筐体より後方に向かうにつれて拡径されていく外周部を有するものがある。
【０００５】
しかし、前者のアイカップでは、支持筐体の外筐と略同一の寸法で形成されているため、装置本体の前方からの光が遮断されず、アイカップ内に光が入射されて被写体が見にくくなってしまう。また、撮像装置の不使用時において、ビューファインダーを装置本体側にスライドさせたときに、アイカップだけが装置本体より突出するため、収納や持ち運びの際に不便である。また、後者のアイカップでは、操作者の目全体を覆うため光がアイカップ内に入射することは防止できるが、目の周囲を全て覆うため長時間に亘り撮影を行うと圧迫感を伴う。また、後者のアイカップにおいても、撮像装置の不使用時において、ビューファインダーを装置本体側にスライドさせたときに、アイカップだけが装置本体より突出するため、収納や持ち運びの際に不便となる。
【０００６】
【特許文献１】実開平３−１２２４３２号公報
【発明の開示】
【発明が解決しようとする課題】
【０００７】
そこで、本発明は、装置本体の前方からの光の入射を防ぐと共に、不使用時においてビューファインダーを装置本体内に収納した際、アイカップが突出することがないビューファインダー及びこれを用いた撮像装置を提供することを目的とする。
【課題を解決するための手段】
【０００８】
上述した課題を解決するために、本発明に係るビューファインダーは、撮像装置本体の背面より後方に向かうにつれて漸次縮径されるように隆起される外周部と、該外周部に囲まれた凹状面部と、該凹状面部に形成され上記撮像装置の撮像範囲が写るファインダ部とを有するアイカップと、上記アイカップの上記撮像装置本体側に設けられ上記アイカップと接続されるスリーブと、上記撮像装置本体内に設けられ上記スリーブを上記撮像装置本体の背面より上記撮像装置本体に押し込み、また上記撮像装置本体外へ引き出し可能に支持する支持筒体とを有し、上記アイカップは、上記スリーブが上記撮像装置本体内に押し込まれることにより上記撮像装置本体の背面側に移動されたとき、上記外周部が上記撮像装置本体の背面より漸次隆起されていくことを特徴とする。
【０００９】
また、本発明に係る撮像装置は、前面に撮像レンズが設けられたレンズ鏡筒と、上記撮像レンズに写る被写体を記録する記録媒体が収納された収納部とを有する装置本体と、上記レンズ鏡筒の背面側に設けられ、該背面より後方に向かうにつれて漸次縮径されるように隆起される外周部と、該外周部に囲まれた凹状面部と、該凹状面部に形成され上記撮像レンズの撮像範囲が写るファインダ部とを有するアイカップと、上記アイカップの上記レンズ鏡筒側に設けられ上記アイカップと接続されるスリーブと、上記レンズ鏡筒内に設けられ上記スリーブを上記レンズ鏡筒の背面より上記レンズ鏡筒に押し込み、また上記レンズ鏡筒外へ引き出し可能に支持する支持筒体とを有するビューファインダーとを備え、上記アイカップは、上記スリーブが上記レンズ鏡筒内に引き込まれることにより上記レンズ鏡筒の背面側に移動されたとき、上記外周部が上記レンズ鏡筒の背面より漸次隆起されていくことを特徴とする。
【発明の効果】
【００１０】
本発明に係るビューファインダー及びこれを用いた撮像装置によれば、アイカップが装置本体の一側面より突出するにつれて漸次縮径されるように隆起された外周部を有し、この外周部に囲まれた凹状面部にファインダ部が形成されているため、ファインダの周囲に広く外周部を形成することができ、前方からの光を外周部によって遮断することができる。また、ビューファインダーを装置本体内に収納され、アイカップが装置本体の背面側と移動されると、外周部が装置本体の背面より後方に向かって漸次縮径されていくように隆起されているため、アイカップが突出することなく装置本体とほぼ一体化され、撮像装置の不使用時において収納や持ち運びに支障が出ない。
【発明を実施するための最良の形態】
【００１１】
以下、本発明が適用されたビューファインダー及びこれを用いた撮像装置について、図面を参照しながら詳細に説明する。この撮像装置１は、図１に示すように、撮像レンズ３を備え、この撮像レンズ３から光学レンズ群を介して入射した被写体像の映像信号を生成するＣＣＤ（charge coupled device）等の撮像素子及びステレオマイク４が組み込まれたレンズ鏡筒５と、映像信号及び音声信号が記録される磁気テープ等の記録媒体を収納し、記録又は再生を行う記録再生機構部６と、撮像レンズ３に写る映像や再生画像が表示される液晶表示パネル７とからなる装置本体２を有する。
【００１２】
レンズ鏡筒５は、前面５ａに撮像レンズ３が設けられ、背面５ｂに撮像レンズ３に写る被写体を覗くためのビューファインダー８が設けられ、上面５ｃにステレオマイク４やフラッシュ発光部９が設けられている。また、レンズ鏡筒５の一側面５ｄには、ズームやフォーカス等の操作や静止画像を撮影するためのシャッタ等を有する操作部１１が設けられている。
【００１３】
また、装置本体２の一側面２ａには液晶表示パネル７がヒンジ部１２を介して取り付けられている。液晶表示パネル７は、表示パネル部７ａと、背面部７ｂとを有し、装置本体２に対してヒンジ部１２を介して、図２に示すように、表示パネル部７ａが操作者側に回動可能とされると共に、図３に示すように、被写体側に回動可能とされている。これにより、液晶表示パネル７は、不使用時には背面部７ｂを表にして装置本体２の一側面２ａと略面一に収納され、使用時にはヒンジ部１２を介して回動され、表示パネル部７ａを操作者側に向けることにより被写体を見ながら撮像可能とされ、また、表示パネル部７ａを被写体側に向けることにより被写体となる人が映像を見ながら撮像可能とされている。
【００１４】
なお、装置本体２は、液晶表示パネル７の下方に、駆動源となるバッテリーパックが着脱自在に取り付けられている。また、装置本体２は、他側面２ｂ側に、操作者が装置本体を把持するためのベルト１３が取り付けられている。
【００１５】
次いで、レンズ鏡筒５内に設けられているビューファインダー８について説明する。ビューファインダー８は、図４及び図５に示すように、操作者が直接目を当てるアイカップ２１と、アイカップ２１と接続されレンズ鏡筒５内外に亘って移動することによりアイカップ２１を前後にスライドさせるスリーブ２２と、レンズ鏡筒５内に組み付けられるとともにスリーブ２２をレンズ鏡筒５の内外に亘って移動可能に支持する支持筒体２３と、支持筒体２３と接続されるとともにスリーブ２２と摺接することによりスリーブ２２の移動をガイドするガイド筒体２４とを有する。
【００１６】
そして、ビューファインダー８は、図５に示すように、スリーブ２２内にガイド筒体２４が移動可能に挿入され、また、スリーブ２２が支持筒体２３内に移動可能に挿入される。アイカップ２１は、支持筒体２３を介してスリーブ２２に接続される。また、ガイド筒体２４は支持筒体２３の前面２３ａ側の側面部にビス等に接続されている。
【００１７】
このようなビューファインダー８は、撮像装置１の使用時には、図３に示すように、操作者によりアイカップ２１が装置本体２の背面２ｃ側に引き出される。このとき、アイカップ２１と接続されたスリーブ２２は、レンズ鏡筒５に組み付けられた支持筒体２３内を支持筒体２３の背面２３ｂ側に移動される。また、ガイド筒体２４は、スリーブ２２が摺動することにより、支持筒体２３内を移動するスリーブ２２の移動をガイドすると共に、スリーブ２２の引き出し位置の位置決めを図っている。
【００１８】
また、ビューファインダー８は、液晶表示パネル７を用いて撮影を行う場合や撮像装置１の不使用時には、図１及び図２に示すように、アイカップ２１が装置本体２側に押し込まれる。このとき、スリーブ２２は、支持筒体２３内を支持筒体２３の前面２３ａ側に移動される。また、ガイド筒体２４は、スリーブ２２が摺動することにより、支持筒体２３内を移動するスリーブ２２の移動をガイドすると共に、スリーブ２２の押し込み位置の位置決めを図っている。
【００１９】
操作者が目を当てるアイカップ２１は、図５〜図７に示すように、レンズ鏡筒５の背面５ｂの径に応じて広く形成された外周部３１と、外周部３１に囲まれた凹状面部３２と、凹状面部に形成され撮像レンズ３に写る被写体が表示されるファインダ部３３と、スリーブ２２に接続される接続部３４と、ファインダ部３３の視野を調節するＶＦ（visual field）レンズ３５とを有する。
【００２０】
外周部３１は、略円筒状に形成されたレンズ鏡筒５の背面５ｂの形状に合わせて略円形に形成されると共に、後方に向かうにつれて漸次縮径されながら隆起するように形成されている。すなわち、外周部３１は、略円形のアイカップ２１の外縁部から中央部側に向かう傾斜面が全周に亘って形成されている。また、外周部３１は、アイカップ２１がレンズ鏡筒５の背面５ｂ側にスライドされたとき、レンズ鏡筒５の背面５ｂと対向される面が平坦に形成されている。
【００２１】
また外周部３１は、レンズ鏡筒５の背面５ｂの形状に応じて、一部が直線上に切り欠かれた切欠部３７が形成されている。切欠部３７は、レンズ鏡筒５の背面５ｂが、下側を直線上に切り欠かれた形状に形成されている場合に、当該レンズ鏡筒５の背面形状と同一の形状とするために形成される。これにより、アイカップ２１は、レンズ鏡筒５の背面５ｂ側にスライドされることにより、図２に示すように、外周部３１の形状がレンズ鏡筒５の背面５ｂの形状と重なり、レンズ鏡筒５の背面５ｂより面方向に突出することなくほぼ一体に収まる。
【００２２】
また、外周部３１は、外縁部から中央部側に向かう傾斜面が全周に亘って形成されているため、使用時に外周部３１を操作者の目の上部又は下部等の周辺に当てて撮影を行うことができ、装置本体２を安定に保持することができる。また、外周部３１は、弾性部材を用いて形成されているため、目の周辺に当てて使用する際にも操作者に違和感を与えることがない。なお、外周部３１は、一部にアイカップ２１の引き出し用のツマミ部３８が形成されている。
【００２３】
この外周部３１に囲まれた領域には、外周部より凹設された凹状面部３２が形成されている。凹状面部３２は、撮像レンズ３に写る被写体が表示されるファインダ部３３が形成されている。この凹状面部３２はファインダ部３３に対して広く形成されており、操作者の目全体を覆うに十分な大きさを有する。
【００２４】
ファインダ部３３は、ガイド筒体２４内に設けられ、撮像レンズ３に写る画像を表示するＬＣＤ（liquid crystal display）を覗く窓である。操作者はファインダ部３３を通して撮像レンズ３に写る画像を見ることができる。このファインダ部３３には透明なアクリルカバー３３ａがはめ込まれている。また、アクリルカバー３３ａの奥には視度を調節するＶＦレンズ３５が配設されている。ＶＦレンズ３５は、詳細を省略する調整機構によって操作されることにより、適宜、視度調整が行われる。このファインダ部３３は、図８に示すように、ビューファインダー８が装置本体２に組み付けられることにより、レンズ鏡筒５に設けられた撮像レンズ３の光軸上に位置される。したがって、ファインダ部３３の前方の映像と撮像レンズ３に写る映像との間にズレが生じることがなく、ファインダ部３３から覗く操作者の視線の先の映像が映し出されるため、ファインダ部３３を覗く操作者は、違和感を抱くことなく撮影することができる。
【００２５】
またアイカップ２１は、レンズ鏡筒５側に、支持筒体２３を介して後述するスリーブ２２に接続される接続部３４が設けられている。接続部３４は、スリーブ２２の中空部４２よりやや小さい矩形状の接合部３９が突出形成され、この接合部３９の上縁部３９ａにスリーブ２２の上面２２ａに形成された接続孔４３に係合される接続片４０を有する。接続部３４は、アイカップ２１をスリーブ２２に接続する際に、接合部３９がスリーブ２２の中空部４２に嵌合されるとともに、接続片４０がスリーブ２２の上面２２ａに形成された接続孔４３に接続される。また、アイカップ２１は、接合部３９に図示しないネジ穴が形成され、スリーブ２２にネジ止めされる。これによりアイカップ２１は、外周部３１より及び凹状面部３２を外方に臨ませた状態でスリーブ２２と接続される。
【００２６】
このようなアイカップ２１が接続されるスリーブ２２は、後述する支持筒体２３内に摺動自在に挿通されることにより、アイカップ２１のスライド操作に伴って支持筒体２３内を前後に摺動される。このスリーブ２２は、アイカップ２１の接合部３９が嵌合される略矩形状の中空部４２を有し、上面部２２ａにアイカップ２１の接続片４０が係合される接続孔４３が形成されている。
【００２７】
このスリーブ２２は、中空部４２にレンズ鏡筒５の背面５ｂ側より後述するガイド筒体２４が挿入される。また、スリーブ２２は、中空部４２内の両側壁４２ａ，４２ｂに、ガイド筒体２４の係合片５１と摺接されることにより支持筒体２３内の摺動がガイドされる位置決め片４５，４５が設けられている。各位置決め片４５，４５は、スリーブ２２の前後方向に離間して一対の位置決め突部４６ａ，４６ｂが突設されている。各位置決め突部４６ａ，４６ｂは、スリーブ２２が支持筒体２３内を移動すると、ガイド筒体２４の係合片５１を摺動することにより支持筒体２３内の移動がガイドされると共に、係合片５１の係合突部５２を乗り越えることにより操作者にクリック感を与え、アイカップ２１の引き出し位置及び押し込み位置の位置決めを図る。
【００２８】
また、スリーブ２２は、上面２２ａ及び下面２２ｂに、支持筒体２３の中空部６１の上面６１ａ及び下面６１ｂに形成された係止溝６２，６３に係止される係止片４７，４８が外方に折り曲げ形成されている。スリーブ２２は、支持筒体２３をレンズ鏡筒５の後方にスライドされると、係止片４７，４８が支持筒体２３に形成された係止溝６２，６３の端部に係止され、支持筒体２３からの抜け止めが図られている。
【００２９】
スリーブ２２がスライド自在に挿入される支持筒体２３は、図５に示すように、側壁６４にビス孔６４ａが穿設され、スリーブ２２内に挿入されるガイド筒体２４とビス等により接続されている。これにより支持筒体２３は、ガイド筒体２４を中空部６１内に固定させ、スリーブ２２がスライドされることによりガイド筒体２４とスリーブ２２とを摺接させる。
【００３０】
また、支持筒体２３は、背面２３ｂ側の端部に、全周に亘って装置本体２の突条部６５に勘合する嵌合溝６６が形成されている。支持筒体２３は、図８に示すように、嵌合溝６６が装置本体２の背面２ｃ側の側縁に形成された突条部６５に嵌合されることにより、装置本体２に組み付けられる。
【００３１】
さらに、支持筒体２３は、中空部６１の上面６１ａ及び下面６１ｂに、上述したスリーブ２２の上面２２ａ及び下面２２ｂに折り曲げ形成された係止片４７，４８が係止される係止溝６２，６３が形成されている。係止溝６２，６３は、支持筒体２３の前面２３ａ側端部より背面２３ｂ側にかけて形成され、スリーブ２２が支持筒体２３内をスライドすることにより、スリーブ２２の係止片４７，４８が移動して、背面２３ｂ側端部に設けられた端面６２ａ，６３ａに係止片４７，４８が係止される。
【００３２】
このような支持筒体２３は、図８に示すように、装置本体２に組み込まれ、略矩形状の中空部６１の背面２３ｂ側端部を装置本体２の外方に臨ませている。また、支持筒体２３は、前面２３ａ側端部より上述したスリーブ２２が挿入されると共に、装置本体２外へ臨まされた中空部６１の背面２３ｂ側端部よりアイカップ２１の接続部３４が挿入され、アイカップ２１とスリーブ２２とが接続される。そして、支持筒体２３は、スリーブ２２と接続されたアイカップ２１がレンズ鏡筒５より後方に引き出され、また押し込まれるとスリーブ２２が中空部６１内をスライドする。
【００３３】
支持筒体２３の中空部６１内に固定され、スリーブ２２のスライドをガイドするガイド筒体２４は、上述したように、スリーブ２２の中空部４２内に挿入され、またスリーブ２２とともに支持筒体２３内に挿入されている。また、ガイド筒体２４は、側壁５３に形成されたビス孔５４が支持筒体２３に臨まされ、支持筒体２３の側壁６４のビス孔６４ａに螺合されたビスにより支持筒体２３の中空部６１内に固定されている。
【００３４】
このガイド筒体２４は、略矩形状の中空部５５を有し、中空部５５内には撮像レンズ３に写る画像を表示するＬＣＤ（liquid crystal display）５６や液晶表示用のバックライト５７が組み付けられている。
【００３５】
また、ガイド筒体２４は、両側壁５３，５６に、スリーブ２２の中空部４２内に設けられた位置決め片４５の位置決め突部４６ａ，４６ｂが摺動する係合片５１が前後方向に亘って形成されている。係合片５１は、外方に突出することにより位置決め突部４６ａ，４６ｂと係合する係合突部５２が設けられている。また、係合片５１は、係合突部５２が設けられた長手方向の一端側がガイド筒体２４の両側壁５３，５６より延設方向に突出され、弾性変位可能とされている。このような係合片５１は、スリーブ２２が支持筒体２３を前後にスライドされることにより、係合突部５２がスリーブ２２の位置決め片４５と摺接されることにより、スリーブ２２のスライドをガイドする。また、係合片５１は、スリーブ２２が支持筒体２３の前面２３ａ側端部又は背面２３ｂ側端部までスライドされると、係合片５１の一端側が弾性変位しながら係合突部５２がスリーブ２２の位置決め突部４６ａ又は位置決め突部４６ｂを乗り越えることにより操作者にクリック感を与え、アイカップ２１の引き出し位置及び押し込み位置の位置決めを図ることができる。
【００３６】
以上のような構成を有するビューファインダー８は、図８に示すように、支持筒体２３の嵌合溝６６が装置本体２の背面２ｃ側の側縁に形成された突条部６５に嵌合されて装置本体２内に組み付けられる。
【００３７】
そして、ビューファインダー８を用いて撮影を行う際には、図３に示すように、アイカップ２１の外周部３１に設けられたツマミ部３８を後方に引くことによりアイカップ２１がレンズ鏡筒５より引き出される。このとき、アイカップ２１と接続されたスリーブ２２は、中空部４２内に挿通されるとともに支持筒体２３内に固定されたガイド筒体２４にガイドされながら支持筒体２３内をスライドされる。そして、スリーブ２２は、中空部４２内に設けられた位置決め片４５の位置決め突部４６ａがガイド筒体２４の係合片５１に形成された係合突部５１を乗り越えることによりクリック感を発生させ引き出し位置の位置決めを図る。また、引き出し位置までスライドされたスリーブ２２は、上面２２ａ及び下面２２ｂに形成された係止片４７，４８が支持筒体２３の中空部６１内に形成された係止溝６２，６３を移動して背面２３ｂ側の端面６２ａ，６３ａに突き当てられて係止されるため、支持筒体２３からの抜け止めが図られる。このように、スリーブ２２の位置決め突部４６ａがガイド筒体２４の係合突部５２を乗り越えて位置決めされると共に、係止片４７，４８が支持筒体２３の係止溝６２，６３に係止されることにより、スリーブ２２が確実に引き出し位置に保持され、アイカップ２１はブレることがない。
【００３８】
また、液晶表示パネル７を用いて撮影を行う際や撮影を終了する際には、図２に示すように、アイカップ２１がレンズ鏡筒５内に押し込まれることによりビューファインダー８が装置本体２内に収納される。このとき、アイカップ２１と接続されたスリーブ２２は、位置決め突部４６ａがガイド筒体２４の係合突部５２を乗り越えて支持筒体２３及びガイド筒体２４の前面方向にスライドされる。そして、スリーブ２２は、位置決め突部４６ｂがガイド筒体２４の係合片５１に形成された係合突部５２を乗り越えることによりクリック感を発生させ押し込み位置の位置決めを図る。また、スリーブ２２が押し込み位置までスライドされると、アイカップ２１の外周部３１と支持筒体２３の背面２３ｂ側の側縁部とが当接される。このように、スリーブ２２の位置決め突部４６ｂがガイド筒体２４の係合突部５２を乗り越えて位置決めされることによりアイカップ２１がレンズ鏡筒５の背面５ｂ側に引き込まれて装置本体２とほぼ一体に収納される。
【００３９】
以上のようなビューファインダー８によれば、アイカップ２１の外周部３１が後方に向かうにつれて漸次縮径されながら隆起するように形成されている。したがって、不使用時にビューファインダー８をレンズ鏡筒５内に収納すると、アイカップ２１の外周部３１がレンズ鏡筒５の背面５ｂよりアイカップ２１の中央部側に向かって漸次隆起していき、アイカップ２１が装置本体２より突出することなくレンズ鏡筒５とほぼ一体に収まる。このとき、アイカップ２１は、外周部３１がレンズ鏡筒５の背面５ｂの形状に応じて一部に切欠部３７を形成することにより、レンズ鏡筒５の背面形状と同一の形状とすることができ、外周部３１の形状がレンズ鏡筒５の背面５ｂの形状と重なり、レンズ鏡筒５の背面５ｂより面方向に突出することなく、ほぼ一体に収まる。これにより、撮像装置１の不使用時における収納や持ち運びに支障がなく、また、アイカップ２１が突出することにより外部との衝突による破損を防止することもできる。
【００４０】
また、使用時においては、ビューファインダー８を覗く操作者は、目全体を覆われることがなく、長時間に亘り撮影を行っても目に圧迫感を伴うことがない。さらに、外周部３１及び外周部３１に囲まれる凹状面部３２が、ファインダ部３３に対して広く形成されているため、装置本体２の前方からの光が遮断され、ファインダ部３３に光が入射されることなく、被写体を見やすくすることができる。
【００４１】
また、アイカップ２１の外周部３１が後方に向かうにつれて漸次縮径されながら隆起するように形成されていることから、使用時に外周部３１の外縁部から中央部側に向かう傾斜面を操作者の目の上部又は下部等の目の周辺に当てて撮影を行うことができ、装置本体２を安定に保持することができる。また、外周部３１は、弾性部材を用いて形成されているため、アイカップ２を目の周辺に当てて使用する際にも違和感を与えることがない。
【００４２】
さらに、ビューファインダー８は、アイカップ２１のファインダ部３３が撮像レンズ３の光軸上に形成されているため、ファインダ部３３から覗く操作者の視線の先の映像が映し出され、ファインダ部３３を覗く操作者は、違和感を抱くことなく撮影することができる。
【産業上の利用可能性】
【００４３】
以上、映像及び音声信号を記録する撮像装置のビューファインダーについて説明したが、本発明は、静止画を記録する撮像装置や、銀塩カメラ、レンズ付きフィルム外筐体のビューファインダーに適用してもよい。
【図面の簡単な説明】
【００４４】
【図１】本発明が適用された撮像装置を前面側から示す斜視図である。
【図２】本発明が適用された撮像装置を背面側から示す斜視図である。
【図３】本発明が適用された撮像装置を背面側から示す斜視図である。
【図４】本発明が適用されたアイカップを示す斜視図である。
【図５】上記アイカップの分解斜視図である。
【図６】アイカップを引き出したビューファインダーを示す断面図である。
【図７】アイカップを押し込んだビューファインダーを示す断面図である。
【図８】ビューファインダーが組み付けられた装置本体を示す側面図である。
【符号の説明】
【００４５】
１  撮像装置、２  装置本体、３  撮像レンズ、５  レンズ鏡筒、６  記録再生機構部、７  液晶表示パネル、８  ビューファインダー、２１  アイカップ、２２  スリーブ、２３  支持筒体、２４  ガイド筒体、３１  外周部、３２  凹状面部、３３  ファインダ部、３４  接続部、３５  ＶＦレンズ、３７  切欠部、３８  ツマミ部、４２  中空部、４５  位置決め片、４６  位置決め突部、４７，４８  係止片、５１  係合片、５２  係合突部、６１  中空部、６２，６３  係止溝、６５  突条部、６６  嵌合溝
【図１】
2005049716.tif 000003
【図２】
2005049716.tif 000004
【図３】
2005049716.tif 000005
【図４】
2005049716.tif 000006
【図５】
2005049716.tif 000007
【図６】
2005049716.tif 000008
【図７】
2005049716.tif 000009
【図８】
2005049716.tif 000010